【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
基板材料と；
該基板材料の表面の少なくとも一部に結合したポリマー被覆材料であって、ヘパリンコファクターII結合活性を有する複数の生物活性物質が少なくとも一部に共有結合した該ポリマー被覆材料と；
を含んでいて、
該生物活性物質のヘパリンコファクターII結合活性が、１平方センチメートル当たり少なくとも５ピコモル（ｐｍｏｌ／ｃｍ２）のヘパリンコファクターIIである医療機器。
【請求項２】
殺菌後に、上記生物活性物質のヘパリンコファクターII結合活性が１平方センチメートル当たり少なくとも５ピコモル（ｐｍｏｌ／ｃｍ２）のヘパリンコファクターIIを有する、請求項１に記載の医療機器。
【請求項３】
圧縮及び延伸の後に、上記生物活性物質のヘパリンコファクターII結合活性が１平方センチメートル当たり少なくとも５ピコモル（ｐｍｏｌ／ｃｍ２）のヘパリンコファクターIIを有する、請求項１に記載の医療機器。
【請求項４】
上記複数の生物活性物質が、多糖を含む、請求項１に記載の医療機器。
【請求項５】
上記複数の生物活性物質が、グリコサミノグリカンを含む、請求項１に記載の医療機器。
【請求項６】
上記複数の生物活性物質が、デルマタン二硫酸を含む、請求項１に記載の医療機器。
【請求項７】
上記複数の生物活性物質が、末端が結合したデルマタン二硫酸を含む、請求項１に記載の医療機器。
【請求項８】
上記複数の生物活性物質のヘパリンコファクターII結合活性が、１平方センチメートル当たり少なくとも１２ピコモル（ｐｍｏｌ／ｃｍ２）のヘパリンコファクターIIである、請求項１に記載の医療機器。
【請求項９】
上記複数の生物活性物質のヘパリンコファクターII結合活性が、１平方センチメートル当たり少なくとも２０ピコモル（ｐｍｏｌ／ｃｍ２）のヘパリンコファクターIIである、請求項１に記載の医療機器。
【請求項１０】
基板材料と；
該基板材料の表面の少なくとも一部に結合したポリマー被覆材料であって、１平方センチメートル当たり少なくとも５ピコモル（ｐｍｏｌ／ｃｍ２）のヘパリンコファクターIIのヘパリンコファクターII結合活性を有する複数の生物活性物質が少なくとも一部に共有結合した該ポリマー被覆材料と；
該ポリマー被覆材料に結合した生体適合性組成物と；
を含んでいて、
該生体適合性組成物がアンチトロンビンIII 結合活性を有する医療機器。
【請求項１１】
上記生体適合性組成物が、上記ポリマー被覆材料と共有結合している、請求項１０に記載の医療機器。
【請求項１２】
上記生体適合性組成物が、上記ポリマー被覆材料と非共有結合している、請求項１０に記載の医療機器。
【請求項１３】
上記複数の生物活性物質が、グリコサミノグリカンを含む、請求項１０に記載の医療機器。
【請求項１４】
上記複数の生物活性物質が、デルマタン二硫酸を含む、請求項１０に記載の医療機器。
【請求項１５】
上記複数の生物活性物質が、末端が結合したデルマタン二硫酸を含む、請求項１０に記載の医療機器。
【請求項１６】
約３７℃且つ実質的に中性ｐＨの０．１５Ｍリン酸塩緩衝溶液の中で、上記生体適合性組成物の少なくとも一部が上記医療機器から放出される、請求項１０に記載の医療機器。
【請求項１７】
上記生体適合性組成物が、有機化合物を含む、請求項１０に記載の医療機器。
【請求項１８】
上記有機化合物が多糖である、請求項１７に記載の医療機器。
【請求項１９】
上記多糖がグリコサミノグリカンである、請求項１８に記載の医療機器。
【請求項２０】
上記多糖がデキストランである、請求項１８に記載の医療機器。
【請求項２１】
上記多糖が硫酸デキストランである、請求項１８に記載の医療機器。
【請求項２２】
上記生体適合性組成物がポリエチレングリコールである、請求項１０に記載の医療機器。
【請求項２３】
上記生体適合性組成物が抗増殖剤である、請求項１０に記載の医療機器。
【請求項２４】
上記抗増殖剤がデキサメタゾンである、請求項２３に記載の医療機器。
【請求項２５】
上記生体適合性組成物が、合成した非極性分子を含む、請求項１０に記載の医療機器。
【請求項２６】
上記生体適合性組成物が無機化合物を含む、請求項１０に記載の医療機器。
【請求項２７】
上記無機化合物がリン酸塩を含む、請求項２６に記載の医療機器。
【請求項２８】
上記複数の生物活性物質のヘパリンコファクターII結合活性が、上記基板材料の殺菌の後、基板材料１平方センチメートル当たり少なくとも５ピコモル（ｐｍｏｌ／ｃｍ２）のヘパリンコファクターIIである、請求項１０に記載の医療機器。
【請求項２９】
上記複数の生物活性物質のヘパリンコファクターII結合活性が、上記基板材料の圧縮及び延伸の後に、基板材料１平方センチメートル当たり少なくとも５ピコモル（ｐｍｏｌ／ｃｍ２）のヘパリンコファクターIIである、請求項１０に記載の医療機器。
【請求項３０】
基板材料と；
該基板材料の表面の少なくとも一部に結合したポリマー被覆材料であって、ヘパリンコファクターII結合活性を有する第一の複数の生物活性物質及びアンチトロンビンIII 結合活性を有する第二の複数の生物活性物質が少なくとも一部に共有結合した該ポリマー被覆材料と；
該ポリマー被覆材料に結合した生体適合性組成物と；
を含んでいて、
該生物活性物質のヘパリンコファクターII結合活性が、１平方センチメートル当たり少なくとも５ピコモル（ｐｍｏｌ／ｃｍ２）のヘパリンコファクターIIであり、且つ１平方センチメートル当たり少なくとも５ピコモル（ｐｍｏｌ／ｃｍ２）のアンチトロンビンIII である医療機器。
【請求項３１】
上記生体適合性組成物が、上記ポリマー被覆材料と共有結合している、請求項３０に記載の医療機器。
【請求項３２】
上記生体適合性組成物が、上記ポリマー被覆材料と非共有結合している、請求項３０に記載の医療機器。
【請求項３３】
上記第一の複数の生物活性物質が、グリコサミノグリカンを含む、請求項３０に記載の医療機器。
【請求項３４】
上記第一の複数の生物活性物質が、デルマタン二硫酸を含む、請求項３０に記載の医療機器。
【請求項３５】
上記第一の複数の生物活性物質が、末端が結合したデルマタン二硫酸を含む、請求項３０に記載の医療機器。
【請求項３６】
約３７℃且つ実質的に中性ｐＨの０．１５Ｍリン酸塩緩衝溶液の中で、上記生体適合性組成物の少なくとも一部が上記医療機器から放出される、請求項３０に記載の医療機器。
【請求項３７】
上記生体適合性組成物が、有機化合物を含む、請求項３０に記載の医療機器。
【請求項３８】
上記有機化合物が多糖である、請求項３７に記載の医療機器。
【請求項３９】
上記多糖がグリコサミノグリカンである、請求項３８に記載の医療機器。
【請求項４０】
上記多糖がデキストランである、請求項３８に記載の医療機器。
【請求項４１】
上記多糖が硫酸デキストランである、請求項３８に記載の医療機器。
【請求項４２】
上記生体適合性組成物がポリエチレングリコールである、請求項３０に記載の医療機器。
【請求項４３】
上記生体適合性組成物が抗増殖剤である、請求項３０に記載の医療機器。
【請求項４４】
上記抗増殖剤がデキサメタゾンである、請求項４３に記載の医療機器。
【請求項４５】
上記生体適合性組成物が、合成した非極性分子を含む、請求項３０に記載の医療機器。
【請求項４６】
上記生体適合性組成物が無機化合物を含む、請求項３０に記載の医療機器。
【請求項４７】
上記無機化合物がリン酸塩を含む、請求項４６に記載の医療機器。
【請求項４８】
上記第一の複数の生物活性物質のヘパリンコファクターII結合活性が、上記基板材料の殺菌の後、基板材料１平方センチメートル当たり少なくとも５ピコモル（ｐｍｏｌ／ｃｍ２）のヘパリンコファクターIIである、請求項３０に記載の医療機器。
【請求項４９】
上記第一の複数の生物活性物質のヘパリンコファクターII結合活性が、上記基板材料の圧縮及び延伸の後に、基板材料１平方センチメートル当たり少なくとも５ピコモル（ｐｍｏｌ／ｃｍ２）のヘパリンコファクターIIである、請求項３０に記載の医療機器。
【請求項５０】
上記生体適合性組成物が、共に固定化したヘパリンとデルマタン二硫酸とを含む、請求項３０に記載の医療機器。